(57)【要約】【課題】放射温度計のレンズに離型剤や水蒸気が付着することを十分に防止することができ、金型温度の測定を精度よく行うことができる金型温度測定装置の提供【解決手段】金型温度測定装置１は、金型の温度を測定する為の放射温度計３と、放射温度計３を収容する保護ケース２と、放射温度計３の測定光路が通るように該保護ケース２の前方に配設されたエアーパージ管４と、エアーパージ管４内をその軸線方向に沿って前方に向かって流れるエアー流Ｃを供給するエアー供給手段５、６とを有している。金型温度測定装置１はさらにエアーパージ管４内をその内周面４ｃに沿って回転しながら前方に向かって流れるエアー流Ａ、Ｂを供給する第２のエアー供給手段８ａ、８ｂ、９ａ、９ｂ、４ｂ、１０を備えている。【選択図】図４
2010145331.tif 000002
【特許請求の範囲】
【請求項１】
金型の温度を測定する為の放射温度計と、該放射温度計を収容する保護ケースと、該放射温度計の測定光路が通るように該保護ケースの前方に配設されたエアーパージ管と、該エアーパージ管内をその軸線方向に沿って前方に向かって流れるエアー流を供給するエアー供給手段とを有する金型温度測定装置において、該エアーパージ管内をその内周面に沿って回転しながら前方に向かって流れるエアー流を供給する第２のエアー供給手段を備えることを特徴とする金型温度測定装置。
【請求項２】
該第２のエアー供給手段は互いに干渉しない複数のエアー流を供給することを特徴とする請求項１に記載の金型温度測定装置。
【発明の詳細な説明】
【技術分野】
【０００１】
本発明は、金型温度測定装置に関し、特に、金型の所定部位の温度を放射温度計により測定する金型温度測定装置に関するものである。
【背景技術】
【０００２】
下記特許文献１に所載のように、鋳造に用いられる金型の成形面に離型剤を塗布する際に、物体が放射している赤外線を測定することによって温度を測定する放射温度計を用いて該成形面における所定部位の温度を測定しながら離型剤を該所定部位に噴霧することが知られている。放射温度計は、ロボットアームの先端に取り付けられる離型剤スプレー本体に取り付けられ、固定型と可動型との間に侵入して成形面（表面）の温度を測定するようになっている。
【特許文献１】特開２００７−２２２８９０号公報
【発明の開示】
【発明が解決しようとする課題】
【０００３】
しかしながら、特許文献１のように放射温度計を固定型と可動型との間に侵入させて成形面の温度を測定した場合、放射温度計のレンズに離型剤や水蒸気が付着し、この離型剤や水蒸気が赤外線を阻害してしまうので、正確な金型温度が測定できないという問題がある。こうした異物が多い環境下において放射温度計を用いる場合、放射温度計を保護ケースに収容すると共に、保護ケースの先端部にエアーパージ管を配設し、このエアーパージ管内にエアーを送り込むことにより異物を除去することも知られている。しかし、エアーパージ管にエアーを供給した場合であっても、エアーパージ管の内周面近くから進入する離型剤や水蒸気が放射温度計のレンズに付着することを十分に防止することができず、正確な金型温度が測定できないという問題がある。
【０００４】
そこで本発明は上記従来の問題点に鑑みてなされ、放射温度計のレンズに離型剤や水蒸気が付着することを十分に防止することができ、金型温度の測定を精度よく行うことができる金型温度測定装置を提供することを課題とする。
【課題を解決するための手段】
【０００５】
本発明は上記課題を解決すべくなされたものであって、金型の温度を測定する為の放射温度計３と、該放射温度計３を収容する保護ケース２と、該放射温度計３の測定光路が通るように該保護ケース２の前方に配設されたエアーパージ管４と、該エアーパージ管４内をその軸線方向に沿って前方に向かって流れるエアー流Ｃを供給するエアー供給手段５、６とを有する金型温度測定装置１において、該エアーパージ管４内をその内周面４ｃに沿って回転しながら前方に向かって流れるエアー流Ａ、Ｂを供給する第２のエアー供給手段８ａ、８ｂ、９ａ、９ｂ、４ｂ、１０を備える金型温度測定装置１を提供している。
【０００６】
ここで、第２のエアー供給手段８ａ、８ｂ、９ａ、９ｂ、４ｂ、１０は互いに干渉しない複数のエアー流Ａ、Ｂを供給することが好ましい。
【発明の効果】
【０００７】
本発明によれば、エアーパージ管内をその内周面に沿って回転しながら前方に向かって流れるエアー流を供給する第２のエアー供給手段を備えることから、放射温度計のレンズに離型剤や水蒸気が付着することを十分に防止することができ、金型温度の測定を精度よく行うことができる。
【発明を実施するための最良の形態】
【０００８】
本発明の一実施形態にかかる金型温度測定装置について図面を用いて説明する。図１は金型温度測定装置の正面図、図２は金型温度測定装置の平面図、図３は金型温度測定装置の右側面図、図４は金型温度測定装置のエアー流を示す部分断面図である。
【０００９】
金型温度測定装置１は、図示せぬ離型剤スプレーロボットのロボットアームの先端に取り付けられた図示せぬ離型剤スプレー本体に取り付けられている。金型温度測定装置１は、保護ケース２を備えており、この保護ケース２にはダイカスト金型等の金型の温度を測定する為の放射温度計３が収容されている。放射温度計３は図示せぬレンズを備え、物体が放射している赤外線（放射エネルギー）を測定することによって温度を測定する公知のものである。金型温度測定装置１により測定される金型温度は型温原因による製品不良等を把握すること等に利用される。保護ケース２は前方（図１における右側）に開口部を有し、この開口部には円筒からなるエアーパージ管４が赤外線の入射経路である放射温度計３の測定光路がエアーパージ管４内を通ることができるように配設されている。
【００１０】
保護ケース２の後方（図１における左側）にはコネクター５が接続されており、コネクター５にはホース６が接続されている。ホース６は図示せぬエアー源に接続されており、ホース６とコネクター５を介して保護ケース２内にエアーが供給されると、エアーは保護ケース２内を通過してエアーパージ管４内に流入し、エアーパージ管４の略中心を軸線方向に沿って前方に向かって流れるエアー流Ｃ（図４参照）となり、エアーパージ管４の先端の開口４ａから外部に噴出する。このエアー流Ｃはエアーパージ管４の中心近傍から離型剤や水蒸気が進入し、放射温度計３のレンズに付着することを防止する。尚、符号７は放射温度計３に接続されたセンサーケーブルである。コネクター５とホース６はエアー供給手段に相当する。
【００１１】
エアーパージ管４の上側には、２つの上側パイプ８ａ、８ｂがその先端を前方且つ下向きに指向させ、エアーパージ管４から４５度上方に傾斜するように接続されている。また、エアーパージ管４の下側には、２つの下側パイプ９ａ、９ｂがその先端を前方且つ上向きに指向させ、エアーパージ管４から４５度下方に傾斜するように接続されている。上側パイプ８ａ、８ｂ及び下側パイプ９ａ、９ｂの後端には図示せぬコネクターが接続されており、この図示せぬコネクターにはホース１０が接続されている。このホース１０は上述したホース６が接続されるエアー源と同じエアー源に接続されている。
【００１２】
エアーパージ管４には上側パイプ８ａ、８ｂ及び下側パイプ９ａ、９ｂを接続する為の４つの斜孔４ｂが形成されている。この４つ斜孔４ｂに上側パイプ８ａ、８ｂ及び下側パイプ９ａ、９ｂの先端がそれぞれ圧入されることにより、上側パイプ８ａ、８ｂ及び下側パイプ９ａ、９ｂは上述したようにエアーパージ管４に対して４５度傾斜して接続されている。４つの斜孔４ｂはエアーパージ管４の内周面４ｃにおいて開口しており、上側パイプ８ａ、８ｂと下側パイプ９ａ、９ｂの先端はこの開口に対応する形状に加工されている（図３参照）。図示せぬエアー源からエアーを供給すると、エアーはホース１０と図示せぬコネクターを介して上側パイプ８ａ、８ｂと下側パイプ９ａ、９ｂに至り、上側パイプ８ａ、８ｂと下側パイプ９ａ、９ｂの先端からエアーパージ管４内に噴出するようになっている。上側パイプ８ａ、８ｂ、下側パイプ９ａ、９ｂ、斜孔４ｂ、図示せぬコネクター、ホース１０は第２のエアー供給手段に相当する。
【００１３】
上側パイプ８ａ、８ｂと下側パイプ９ａ、９ｂの先端からエアーパージ管４内に噴出されたエアーは、エアーパージ管４の内周面４ｃに沿って回転しながら前方に向かって流れる２つのエアー流Ａ、Ｂ（図４参照）となり、エアーパージ管４の先端の開口４ａから外部に噴出する。ここで、図４に示されるように、上側パイプ８ａから噴出されるエアーは、下側パイプ９ｂから噴出されるエアーと合流することによりエアー流Ａを生成している。また、下側パイプ９ａから噴出されたエアーは、上側パイプ８ｂから噴出されるエアーと合流することによりエアー流Ｂを生成している。２つのエアー流Ａ、Ｂは互いに干渉することなく、エアーパージ管４の内周面４ｃに沿って回転しながら前方に向かって流れるように調整されている。この様に、互いに干渉することなくエアーパージ管４の内周面４ｃに沿って回転して前方に向かって流れる２つのエアー流Ａ、Ｂを生成することにより、エアーパージ管４の内周面４ｃに沿って回転して前方に向かって流れるエアー流を１つとする場合よりも、離型剤や水蒸気がエアーパージ管４の内周面４ｃ近くから進入し、放射温度計３のレンズに付着することをより一層防止することができる。
【００１４】
本発明による金型温度測定装置は上述した実施形態に限定されず、特許請求の範囲に記載した範囲で種々の変形や改良が可能である。例えば、本実施形態においては、エアーパージ管４の内周面４ｃに沿って回転して前方に向かって流れるエアー流は２つであったが、エアー流を３つ以上の複数としてもよい。エアーパージ管４の内周面４ｃに沿って回転して前方に向かって流れるエアー流を２つ以上の複数とすれば、エアーパージ管４の開口４ａにおけるエアー圧が不均一となることを防止することができ、放射温度計３による金型温度の測定精度を高めることができる。
【００１５】
また、本実施形態においては上側パイプ８ａ、８ｂと下側パイプ９ａ、９ｂの４つのパイプにより２つのエアー流Ａ、Ｂを供給したが、これに限定されない。エアーパージ管４の内周面４ｃに沿って回転して前方に向かって流れるエアー流を生成する為に設けるパイプの数は任意である。
【図面の簡単な説明】
【００１６】
【図１】本実施形態に係る金型温度測定装置の正面図である。
【図２】本実施形態に係る金型温度測定装置の平面図である。
【図３】本実施形態に係る金型温度測定装置の右側面図である。
【図４】本実施形態に係る金型温度測定装置のエアー流を示す部分断面図である。
【符号の説明】
【００１７】
１          金型温度測定装置
２          保護ケース
３          放射温度計
４          エアーパージ管
４ｂ        斜孔
４ｃ        内周面
５          コネクター
６          ホース
７          センサーケーブル
８ａ、８ｂ  上側パイプ
９ａ、９ｂ  下側パイプ
１０        ホース
Ａ          エアー流
Ｂ          エアー流
Ｃ          エアー流
【図１】
2010145331.tif 000003
【図２】
2010145331.tif 000004
【図３】
2010145331.tif 000005
【図４】
2010145331.tif 000006